(57)【要約】      （修正有）【課題】留め具が前に廻りこまず、外観上において美観が良い、且つ、弾性体が外れにくい環状装身具用ずれ止め具及びこのずれ止め具を備えた環状装身具を提供する。【解決手段】環状装身具用ずれ止め具１０は、本体部に凹部を設けた台座部１１と、上記凹部に突出形成された弾性体１２と、を有し、上記弾性体１２は、液状時に上記台座部１１に突出形成される構成とした。【選択図】図１
0003140273.tif 000002
【実用新案登録請求の範囲】
【請求項１】
本体部に凹部設けた台座部と、
前記凹部に突出形成された弾性体と、を有する環状装身具用ずれ止め具であって、
前記弾性体は、液状時に前記台座部に突出形成される、
ことを特徴とする環状装身具用ずれ止め具。
【請求項２】
前記弾性体は、シリコーンで形成され、液状時に前記台座部に突出形成される、
ことを特徴とする請求項１記載の環状装身具用ずれ止め具。
【請求項３】
前記台座部は、凹部を有する本体部と、該本体部に設けられる輪状部と、で形成され、
前記凹部に前記弾性体を形成する、
ことを特徴とする請求項１記載の環状装身具用ずれ止め具。
【請求項４】
前記台座部は、金属で形成される、
ことを特徴とする請求項１又は３記載の環状装身具用ずれ止め具。
【請求項５】
請求項１から請求項４のいずれか一つに記載の環状装身具用ずれ止め具を備えることを特徴とする環状装身具。
【考案の詳細な説明】
【技術分野】
【０００１】
本考案は環状装身具の留め具のずれを防止する環状装身具用ずれ止め具と、そのずれ止め具を設けた環状装身具に関する。
【背景技術】
【０００２】
環状装身具は主に襟元や胸元を装飾するものとして使用される。また、一般的な環状装身具にはブローチ、ネックレスなどが知られている。そして、これらの環状装身具は鎖又は紐などの環状部材の両端を首の後ろで留め具によって連結させて装着するものである。
【０００３】
従来、この留め具は、引き輪と止め輪とを組み合わせたものが広く知られている。また、更には、引き輪と止め輪の連結方法を工夫した種々の留め具が知られている。何れにしても、留め具は、あくまでも首の後ろの最も目立たない部位に位置することが求められる。
【０００４】
しかし、留め具は、体の動きや留め具本体の重さなどにより、装着中に首の前に廻ってしまうという問題点があった。一例を示すと、ネックレスの留め具は、環状鎖を形成する１つ１つのリングに比べると大きく、且つ、重い場合がある。そのため、留め具は装着者の動き等により環状鎖上で遠心力が働くことで首の前に廻りこんでしまっていた。
【０００５】
これにより、装着者には、度々留め具を首の後ろへ動かすという手間が生じていた。そして、このような場合、周囲の目が気になってしまう。
【０００６】
そこで、特許文献１には、環状鎖の一端に脱着可能に付設された引き輪と、他端に付設されたクリップとを有し、クリップで衣服を挟むことで留め具のずれを防止させた装身具が提案されている。
【０００７】
また、特許文献２には、ネックレスの肌に接する部分をゴム（本願では弾性体）で被覆し、この被覆した部分と身体との当接面で摩擦力が働くことで、留め具のずれを防止させたズレ防止方法が提案されている。
【特許文献１】実用新案登録第３１１５４８６号公報
【特許文献２】特開２００３−１０２５２３号公報
【考案の開示】
【考案が解決しようとする課題】
【０００８】
ところで、上記特許文献１の装身具は、留め具が前に廻りこまない構成となっているが、クリップが目立ちすぎてしまうという問題点がある。このようにクリップが目立ちすぎてしまう装身具は、外観上において、好ましくない。
【０００９】
また、上記特許文献２のズレ防止方法は、上記特許文献１と同様に留め具が前に廻りこまない構成となっているが、弾性体を接着剤などで環状部材に接着させることが考えられる。これにより、接着剤の接着力が低下した場合には、弾性体が外れてしまう可能性が考えられる。また、弾性体は装着者の首の後ろの目立たない位置に設けられているが、外観上において、好ましくない。
【００１０】
本考案の課題は、上記従来の実状に鑑見て、留め具が前に廻りこまないことを前提とし、且つ、弾性体が外れにくい環状装身具用ずれ止め具及びこのずれ止め具を備えた環状装身具を提供することである。
【課題を解決するための手段】
【００１１】
本考案の環状装身具用ずれ止め具は、本体部に凹部を設けた台座部と、上記凹部に突出形成された弾性体と、を有し、上記弾性体は、シリコーンで形成され、液状時に上記台座部に突出形成される構成とした。
【００１２】
上記環状装身具用ずれ止め具において、例えば、上記弾性体は、シリコーンで形成され、液状時に上記台座部突出形成されることが好ましい。
【００１３】
上記環状装身具用ずれ止め具において、例えば、上記台座部は、凹部を有する本体部と、この本体部に設けられる輪状部とで形成され、上記凹部に上記弾性体を形成することが好ましい。
【００１４】
上記環状装身具用ずれ止め具において、例えば、上記台座部は、金属で形成されることが好ましい。
【００１５】
本考案の環状装身具は、上記記載の環状装身具用ずれ止め具を備える構成とした。
【考案の効果】
【００１６】
本考案によれば、環状装身具用ずれ止め具は、台座部に突出形成された弾性体を有することで、弾性体が装着者の身体に当接し、留め具が前に廻りこまない。そして、液状時に突出形成させることで、接着剤を使用せずに台座部に形成させることが可能となる。
【考案を実施するための最良の形態】
【００１７】
以下、本考案の実施の形態について図面を参照しながら説明を行う。図１は本実施の形態の環状装身具用ずれ止め具１０を示した斜視図である。そして、図２は図１における線Ａ−Ａ´断面を示した断面図である。
【００１８】
環状装身具用ずれ止め具１０は、台座部１１と、台座部１１に突出形成された弾性体１２とで形成される。環状装身具用ずれ止め具１０は、例えば、ネックレスなどの環状部材の中途部に設けられる。
【００１９】
弾性体１２は、シリコーンによって形成される。詳述すると、弾性体１２は液状時に台座部１１に形成された凹部１３ａ，１３ｂの全体に形成される。この時、図２に示すように弾性体１２は、液体が持つ性質である表面張力によって、突出して形成される。また、弾性体１２は、液状時に凹部１３ａ，１３ｂに形成されることで、接着剤を使用せずに形成することができる。尚、この弾性体１２はシリコーンに限定されず、例えば、ウレタン樹脂などを用いても良い。
【００２０】
また、弾性体１２は、デザイン（例えばブランド名）を施すことができる。これにより、環状装身具用ずれ止め具１０は、それ自体が装飾品としての役目をなすので、外観上において美観がより良い。
【００２１】
デザインを施す方法は、例えば、弾性体１２を台座部に形成した後にレーザなどで刻印して施す方法を用いることができる。尚、弾性体１２の色は、特に限定されず、黒、白又は透明など、使用者の好みを反映させて形成すると良い。
【００２２】
図３は、台座部１１を示した斜視図である。台座部１１は、凹部１３ａ，１３ｂを有する台座本体部１４と、この台座本体部１４に設けられた輪状部１５ａ，１５ｂとで形成される。そして、凹部１３ａ，１３ｂには弾性体を形成させる。このように弾性体を凹部１３ａ，１３ｂに形成することで、弾性体１２をより強固に形成することができ、弾性体１２が台座部１１から外れない。
【００２３】
また、台座部１１は金属で形成される。そして、台座部１１の形成方法は、例えば、型枠に金属を流し込んで形成すると良い。尚、この材料は特に金属に限定されず、例えば、ガラス又はプラスチックなどで形成しても良い。
【００２４】
台座本体部１４は小判状で形成される。また、台座本体部１４の両面には、台座本体部１４と同形状の底面を有する凹部１３ａ，１３ｂが形成される。尚、この凹部１３ａ，１３ｂの形状は、台座本体部１４の形状と同形状に限定されず、例えば、ハート形、菱形、などで形成しても良い。
【００２５】
輪状部１５ａ，１５ｂは台座本体部１４の外周に対向して形成される。輪状部１５ａ，１５ｂは、例えば、ネックレスのチェーンのリングに連結される。また、輪状部１５ａ，１５ｂは、上述したように台座本体部１４と輪状部１５ａ，１５ｂとを金型で一体形成してもよいが、輪状部１５ａ，１５ｂ単体で形成し、台座本体部１４に熱溶着などで接着しても良い。
【００２６】
図４は、図１で示した環状装身具用ずれ止め具１の第１の変形例を示した斜視図である。環状装身具用ずれ止め具４０も、環状装身具用ずれ止め具１と同様に台座部４１と、台座部４１に突出形成された弾性体４２とで形成される。尚、弾性体４２については、上述した環状装身具用ずれ止め具１の弾性体１２と同様であるため、説明を省略する。
【００２７】
台座部４１も、両面に凹部が形成された台座本体部と、この台座本体部の外周上に対向して設けられた輪状部４５ａ，４５ｂとで構成される。そして、この台座部４１の形成方法も、上述した環状装身具用ずれ止め具１の台座部１１と同様に金型に金属を流し込んで形成される。尚、この材質も、特に金属に限定されず、例えば、ガラス又はプラスチックなどで形成しても良い。
【００２８】
台座本体部はハート形で形成される。そして、環状装身具用ずれ止め具４０は、台座本体部の外周上に設けられた輪状部４５ａ，４５ｂと、環状装身具の環状部材とで連結され、環状装身具の一部として形成される。尚、輪状部４５ａ，４５ｂについても、環状装身具用ずれ止め具１の輪状部１５ａ，１５ｂと同様に輪状部４５ａ，４５ｂ単体で形成し、台座本体部に熱溶着などで接着させて形成しても良い。
【００２９】
このように形成されることで、環状装身具用ずれ止め具４０は、ずれ止め具４０自体が装飾品としての役目をなすので、外観上において美感が良い。尚、弾性体４２も上述した環状装身具用ずれ止め具１０の弾性体１２と同様にデザインを施すことが可能である。これにより、環状装身具用ずれ止め具４０は、更に装飾品としての役目をなすので、外観上において美感がより良い。
【００３０】
図５は、図１で示した環状装身具用ずれ止め具１の第２の変形例を示した斜視図である。環状装身具用ずれ止め具５０も、台座部５１と、台座部５１に突出形成された弾性体５２とで形成される。尚、弾性体５２についても、上述した弾性体１２と同様であるため、説明を省略する。
【００３１】
台座部５１も、両面に凹部が形成された台座本体部と、この台座本体部の外周上に対向して設けられた輪状部５５ａ，５５ｂとで形成される。そして、この台座部５１の形成方法も、金型に金属を流し込んで形成される。尚、この材質も、特に金属に限定されず、例えば、ガラス又はプラスチックなどで形成しても良い。
【００３２】
台座本体部は菱形で形成される。そして、環状装身具用ずれ止め具５０も、台座本体部の外周上に設けられた輪状部５５ａ，５５ｂと、環状装身具の環状部材とで連結され、環状装身具の一部として構成される。尚、輪状部５５ａ，５５ｂについても、輪状部５５ａ，５５ｂ単体で形成し、台座本体部に熱溶着などで接着させて形成しても良い。
【００３３】
このように形成することで、環状装身具用止め具５０も、ずれ止め具５０自体が装飾品としての役目をなすので、外観上において美観が良い。尚、弾性体５２も同様にデザインを施すことが可能である。これにより、環状装身具用止め部５０は、更に装飾品としての役目をなすので、外観上において美観がより良い。
【００３４】
図６は、図１で示した環状装身具用ずれ止め具１の第３の変形例を示した斜視図である。環状装身具ずれ止め具６０も、台座部６１と台座部６１に突出形成された弾性体６２とで形成される。尚、弾性体６２についても、上述した弾性体１２と同様であるため、説明を省略する。
【００３５】
台座部６１も、両面に凹部が形成された台座本体部と、この台座本体部の外周上に対向して設けられた輪状部６５ａ，６５ｂとで形成される。そして、この台座部６１の形成方法も、金型に金属を流し込んで形成される。尚、材質についても、特に金属に限定されず、例えば、ガラス又はプラスチックなどで形成しても良い。
【００３６】
台座本体部は長方形で形成される。そして、台座本体部の両面に形成された凹部は楕円形で形成される。そして、環状装身具用ずれ止め具６０も、台座本体部の外周上に設けられた輪状部６５ａ，６５ｂと、環状装身具の環状部材とで連結され、環状装身具の一部として構成される。尚、輪状部６５ａ，６５ｂについても、輪状部６５ａ，６５ｂ単体で形成し、台座本体部に熱溶着などで接着させて形成しても良い。
【００３７】
本実施の形態の環状装身具用ずれ止め具は、台座本体部の形状を上述した小判形、ハート形、菱形及び長方形としたが、これらの形状に限定されず、例えば、円形又は楕円形などで形成しても良い。また、第３の変形例で示したように、台座本体部と凹部の形状を夫々異なる形状に形成しても良い。
【００３８】
図７は、本実施の形態の環状装身具７０を示した斜視図である。環状装身具７０は、装飾品７１と、この装飾品７１を吊下させる環状部材７２と、環状部材の中途部に設けられた環状装身具用ずれ止め具１０と、環状部材を連結させる留め具７３とで構成される。
【００３９】
装飾品７１は、ヘッドと呼称されているものであり、例えば、ダイヤ、パールなどの宝石、又は、板状で形成されたプレートなどを総称するのである。環状部材７２は、環状鎖又は環状紐などで形成される。尚、環状鎖には、リングを連結させて形成したチェーン、などがある。また、環状紐は、革、繊維、ビニールなどで形成される。
【００４０】
留め具７３は、引き輪と止め輪とで形成される。留め具７３は環状部材７２と同じ材質で形成されると良い。つまり、留め具７３は、金属、プラスチック、革、繊維又はビニールなどで形成される。
【００４１】
環状装身具用ずれ止め具１０は、環状部材７２を形成するリングと、環状装身具用ずれ止め具１０に設けられた輪状部とを連結させて環状部材７２の中途部に設けられる。尚、本実施の形態において環状装身具用ずれ止め具１０は、２個設けているが、例えば、１個、又は、３個以上でも良い。
【００４２】
図８は、環状装身具７０の使用状態を示した使用形態図である。環状装身具７０は環状部材７２の中途部に環状装身具用ずれ止め具１０が形成される。環状装身具７０の装着中は、環状装身具用ずれ止め具１０が装着者の身体と当接する。これにより、環状装身具用ずれ止め具と身体とで摩擦が生じ、環状部材７２が動かない。よって、環状部材７２に設けられた留め具７３が前に廻りこまない。
【００４３】
図９は、環状装身具７０の変形例を示した斜視図である。図９において、環状装身具用ずれ止め具１０は、留め具７３の近傍に形成される。尚、環状装身具用ずれ止め具１０は、この位置に限定されない。つまり、環状装身具用ずれ止め具１０は、装着者の好みに応じて、上述した、ヘッド７１と留め具７３との中間部、又は、留め具７３の近傍などに形成すると良い。
【００４４】
図１０は、図９において示した環状装身具７０の使用状態を示した使用形態図である。図１０において、環状装身具用ずれ止め具１０は、装着者の首の後ろと当接する。これにより、環状装身具用ずれ止め具１０と身体とで摩擦が生じ、環状部材７２が動かない。よって、環状部材７２に設けられた留め具７３が前に廻りこまない。
【００４５】
本実施の形態の環状装身具用ずれ止め具は、本体部に凹部を設けた台座と、この台座に突出形成された弾性体とを有する構成とした。これにより、弾性体が装着者の身体に当接し、留め具が前に廻りこまない。また、弾性体は、シリコーンで形成され、液状時に台座部に突出形成される。これにより、弾性体は接着剤を使用せずに台座部に形成することができる。また、弾性体には、デザインを施すことができる。よって、環状装身具用ずれ止め具自体が装飾品の役目をなし、外観上において美観が良い。
【００４６】
また、環状装身具用ずれ止め具の台座は、両面に凹部を有する本体部と、この本体部に設けられる輪状部とで形成され、凹部に弾性体を形成する。これにより、装着中の外的負荷などによって、弾性体が台座から外れてしまうことを防ぐことができる。
【００４７】
また、台座は金属で形成される。これにより、環状装身具用ずれ止め具自体が装飾品となり、外観上において美感が良い。
【００４８】
本実施の形態の環状装身具は、環状装身具用ずれ止め具を備える。これにより、環状装身具用ずれ止め具と身体とで摩擦が生じ、環状部材が動かない。よって、環状部材に設けられた留め具が前に廻りこまない。
【図面の簡単な説明】
【００４９】
【図１】本実施の形態の環状装身具用ずれ止め具を示した斜視図
【図２】図１において線Ａ−Ａ´を示した断面図
【図３】環状装身具用ずれ止め具の台座部を示した斜視図
【図４】環状装身具用ずれ止め具の変形例１を示した斜視図
【図５】環状装身具用ずれ止め具の変形例２を示した斜視図
【図６】環状装身具用ずれ止め具の変形例３を示した斜視図
【図７】環状装身具用ずれ止め具を備えた環状装身具を示した斜視図
【図８】環状装身具を装着した状態を示した使用形態図
【図９】環状装身具の変形例を示した斜視図
【図１０】図９に示した環状装身具を装着した状態を示した使用形態図
【符号の説明】
【００５０】
１０      環状装身具用ずれ止め具
１１      台座部
１２      弾性体
１３ａ    凹部
１３ｂ    凹部
１４      台座本体部
１５ａ    輪状部
１５ｂ    輪状部
４０      環状装身具用ずれ止め具
４１      台座部
４２      弾性体
４５ａ    輪状部
４５ｂ    輪状部
５０      環状装身具用ずれ止め具
５１      台座部
５２      弾性体
５５ａ    輪状部
５５ｂ    輪状部
６０      環状装身具用ずれ止め具
６１      台座部
６２      弾性体
６５ａ    輪状部
６５ｂ    輪状部
７０      環状装身具
７１      装飾品
７２      環状部材
７３      留め具
【図３】
0003140273.tif 000003
【図１】
0003140273.tif 000004
【図２】
0003140273.tif 000005
【図４】
0003140273.tif 000006
【図５】
0003140273.tif 000007
【図６】
0003140273.tif 000008
【図７】
0003140273.tif 000009
【図８】
0003140273.tif 000010
【図９】
0003140273.tif 000011
【図１０】
0003140273.tif 000012